(57)【要約】【課題】見守り対象者の人体の動きを、電波を発信して反射波を受信する電波センサで測定し、電波センサの発信する電波による悪影響を抑制し得る見守りシステムを提供する。【解決手段】見守り対象者の状態を判定する見守りシステム１０は、電波を発信して反射された電波を受信する電波センサ２０により対象者の人体の動きを測定する測定部１１０と、測定部１１０による測定結果に基づいて対象者の状態を判定する判定部１２０と、判定部１２０により対象者が就床状態であると判定されている場合において、電波センサ２０が受信した電波の強度が所定条件を満たしたときには、電波センサ２０が発信する電波の強度を弱める制御部１３０とを備える。【選択図】図２
2017134792.tif 000002
【特許請求の範囲】
【請求項１】
見守り対象者の状態を判定する見守りシステムであって、
電波を発信して反射された電波を受信する電波センサにより前記対象者の人体の動きを測定する測定部と、
前記測定部による測定結果に基づいて前記対象者の状態を判定する判定部と、
前記判定部により前記対象者が就床状態であると判定されている場合において、前記電波センサが受信した電波の強度が所定条件を満たしたときには、前記電波センサが発信する電波の強度を弱める制御部とを備える
見守りシステム。
【請求項２】
前記所定条件は、前記電波センサが受信した電波の強度の値が第１閾値より大きいと満たされ、
前記制御部は、前記判定部により前記対象者が就床状態であると判定されている場合に前記電波センサが受信した電波の強度が、前記所定条件を満たした際に、前記電波センサが発信する電波の強度を弱める
請求項１記載の見守りシステム。
【請求項３】
前記所定条件は、更に、前記電波センサが受信した電波の強度の値が、前記第１閾値未満の第２閾値より小さいと満たされる
請求項２記載の見守りシステム。
【請求項４】
前記判定部は、前記対象者の状態が、非就床状態から就床状態に変化した後に未だ体動が収まっていない就床直後状態であることを判定し、
前記制御部は、前記判定部により前記対象者が就床直後状態であると判定されている場合においては、前記電波センサが発信する電波の強度を弱めることを、抑止する
請求項１〜３のいずれか一項に記載の見守りシステム。
【請求項５】
前記測定部による人体の動きの測定結果は、前記電波センサが発信する電波の波形と受信した反射波の波形とを反映した情報である
請求項１〜４のいずれか一項に記載の見守りシステム。
【請求項６】
前記制御部は、前記判定部により前記対象者が就床状態であると判定されている場合に前記電波センサが受信した電波の強度が、前記所定条件を満たした際に、異常を表す出力を行う
請求項１〜５のいずれか一項に記載の見守りシステム。
【請求項７】
見守り対象者の状態を判定する見守りシステムにおけるコンピュータに所定制御処理を実行させるための制御プログラムであって、
前記所定制御処理は、
電波を発信して反射された電波を受信する電波センサにより前記対象者の人体の動きを測定する測定ステップと、
前記測定ステップによる測定結果に基づいて前記対象者の状態を判定する判定ステップと、
前記判定ステップにより前記対象者が就床状態であると判定されている場合において、前記電波センサが受信した電波の強度が所定条件を満たしたときには、前記電波センサが発信する電波の強度を弱める制御ステップとを含む
制御プログラム。
【発明の詳細な説明】
【技術分野】
【０００１】
本発明は、被介護者等を見守るための見守りシステム及びその見守りシステムで用いられる制御プログラムに関する。
【背景技術】
【０００２】
従来、トイレ装置において人体の有無を検出する電波センサの送信手段の出力を、着座時に強く、離座時に弱く、調整する技術が知られている（特許文献１参照）。
【先行技術文献】
【特許文献】
【０００３】
【特許文献１】特開２００２−２８５６２４号公報
【発明の概要】
【発明が解決しようとする課題】
【０００４】
特許文献１に係るトイレ装置では着座時に電波センサの出力を強める。トイレ装置では構成上、出力を強めることが許容されるかもしれないが、見守りシステムにおいては、その出力を強めたことによる人体等への悪影響は望ましくない。
【０００５】
そこで、本発明は、見守り対象者の人体の動きを、電波を発信して反射波を受信する電波センサで測定し、電波センサの発信する電波による悪影響を抑制（弊害の発生を予防）し得る見守りシステムを提供することを目的とする。また本発明は、その見守りシステムで用いられる制御プログラムを提供することを目的とする。
【課題を解決するための手段】
【０００６】
上記目的を達成するために本発明の一態様に係る見守りシステムは、見守り対象者の状態を判定する見守りシステムであって、電波を発信して反射された電波を受信する電波センサにより前記対象者の人体の動きを測定する測定部と、前記測定部による測定結果に基づいて前記対象者の状態を判定する判定部と、前記判定部により前記対象者が就床状態であると判定されている場合において、前記電波センサが受信した電波の強度が所定条件を満たしたときには、前記電波センサが発信する電波の強度を弱める制御部とを備える。
【０００７】
また、本発明の一態様に係る制御プログラムは、見守り対象者の状態を判定する見守りシステムにおけるコンピュータに所定制御処理を実行させるための制御プログラムであって、前記所定制御処理は、電波を発信して反射された電波を受信する電波センサにより前記対象者の人体の動きを測定する測定ステップと、前記測定ステップによる測定結果に基づいて前記対象者の状態を判定する判定ステップと、前記判定ステップにより前記対象者が就床状態であると判定されている場合において、前記電波センサが受信した電波の強度が所定条件を満たしたときには、前記電波センサが発信する電波の強度を弱める制御ステップとを含む。
【発明の効果】
【０００８】
本発明によれば、見守り対象者の人体の動きを測定する電波センサの発信する電波による悪影響が抑制され得る。
【図面の簡単な説明】
【０００９】
【図１】実施の形態１に係る見守りシステムの概略構成図である。
【図２】実施の形態１に係る見守りシステムにおける情報処理装置の機能ブロック図である。
【図３】実施の形態１に係る情報処理装置における制御処理の一例を示すフローチャートである。
【図４】実施の形態１に係る情報処理装置における状態判定処理の一例を示すフローチャートである。
【図５】実施の形態１に係る電波センサの受信する電波の強度（受信電波強度）の変化を示す図である。
【図６】実施の形態２に係る情報処理装置における制御処理の一例を示すフローチャートである。
【発明を実施するための形態】
【００１０】
以下、実施の形態について、図面を参照して説明する。ここで示す実施の形態は、いずれも本発明の一具体例を示すものである。従って、以下の実施の形態で示される数値、形状、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１１】
（実施の形態１）
以下、本発明の一実施形態に係る見守りシステム１０について説明する。
【００１２】
（構成）
見守りシステム１０は、被介護者、患者等といった見守り対象者の人体の動きを、電波センサで測定し、見守り対象者の状態を判定し、判定結果に応じた処理（例えば報知、情報の表示等）を行うためのシステムである。電波センサで測定する人体の動きは、例えば、微振動（呼吸、心拍等）、体動等である。見守りシステム１０は、人体の動きの測定のために電波センサが発信する電波の人体に対する影響を低減させる機能を有する。
【００１３】
図１は、実施の形態１に係る見守りシステム１０を示す概略構成図である。見守りシステム１０は、例えば、同図に示すように、見守り対象者が睡眠、療養、休息等において利用するベッド３０の一部に設置される電波センサ２０と、電波センサ２０と通信する情報処理装置１００とを含んで構成される。
【００１４】
電波センサ２０は、人体の動きを測定するために電波を発信（送信）して反射波を受信する送受信回路を含む。電波センサ２０が人体の動きの測定のために発信する電波（例えばマイクロ波）に係る波形を表す送信信号は、例えば周波数が２４ＧＨｚの正弦波の波形で表される信号である。また、電波センサ２０は、情報処理装置１００と通信し、反射波の受信による受信信号（反射波の波形を表す信号）等を示す測定情報を情報処理装置１００に送信する機能、情報処理装置１００からの制御を受けて送受信回路の動作を切り替える機能等を有する。電波センサ２０は、例えば、ベッド３０において人体の上半身が睡眠時に載置される部分（範囲）の下部（例えばマットレスの下層に位置するボトムの一部）等に設置され、例えばベッド３０で睡眠状態となった人体の方向に電波を放射可能に設置される（図１参照）。なお、ベッド３０に電波センサ２０が設置された状態において電波センサ２０の電波を放射する部分はベッド３０上に位置する人体と接触せず、一定間隔（例えば１ｃｍ）以上離れている。また、例えばマットレスは電波センサ２０が人体の動きの測定のために発信する電波を十分に透過し得る。
【００１５】
情報処理装置１００は、電波センサ２０を制御して人体の動きを測定し、測定結果に基づいて見守り対象者の状態の判定、状態の表示等を行う機能を有する装置としてのコンピュータである。情報処理装置１００は、通信インタフェース（Ｉ／Ｆ）１０１、メモリ１０２、ユーザインタフェース（Ｉ／Ｆ）１０３、プロセッサ（マイクロプロセッサ）１０４等を備える。通信Ｉ／Ｆ１０１は、電波センサ２０等の外部装置と通信するための通信回路である。ユーザＩ／Ｆ１０３は、例えばＬＣＤ（Liquid Crystal Display）等のディスプレイ、及び、例えばスイッチ、ボタン、キーボード等の入力装置或いはディスプレイと一体となったタッチパネル等の入力装置である。メモリ１０２は、プログラム及びデータを予め保持しているＲＯＭ（Read Only Memory）、プログラムの実行に際してデータ等の記憶に利用するためのＲＡＭ（Random Access Memory）等である。メモリ１０２は、例えば不揮発性メモリを含んでいてもよい。プロセッサ１０４は、メモリ１０２に格納された制御プログラムを実行することにより通信Ｉ／Ｆ１０１、ユーザＩ／Ｆ１０３等を制御する処理を行う。情報処理装置１００は、可搬性を有する装置（例えば蓄電池で駆動する装置等）であってもよいし、ベッド３０に固定された或いはベッド３０と離れた据え置き型の装置であってもよい。また情報処理装置１００と電波センサ２０との通信は、無線通信であっても有線通信であってもよい。
【００１６】
図２は、情報処理装置１００の機能ブロック図である。なお、同図には電波センサ２０を付記している。
【００１７】
情報処理装置１００は、見守り対象者の状態を判定し、状態の表示等を行う機能を実現するため、機能構成要素として図２に示すように測定部１１０、判定部１２０、制御部１３０及び表示部１４０を備える。
【００１８】
測定部１１０は、例えば通信Ｉ／Ｆ１０１、制御プログラムを実行するプロセッサ１０４等により実現される。測定部１１０は、電波センサ２０により見守り対象者の人体の動きを測定する機能、即ち、電波センサ２０から、情報を受信することで人体の動きの測定結果を生成（取得）する機能を有する。測定部１１０は、電波センサ２０が人体の動きを測定するために電波を発信して受信した反射波に係る受信信号の波形（振幅、位相）の情報を電波センサ２０から受信する。測定部１１０は、例えば１ｍｓ毎に受信信号の波形の情報を逐次受信する。また、測定部１１０は、情報処理装置１００が電波センサ２０に送信信号を発信させるよう制御しているところのその送信信号の波形の情報を用いて、受信した受信信号の波形の情報と組み合わせることで測定結果を取得する。或いは、測定部１１０は、電波センサ２０が人体の動きを測定するために発信する電波としての送信信号の波形（振幅、位相）の情報と上述の受信信号の波形の情報とを電波センサ２０から受信することで測定結果を取得する。送信信号の波形と受信信号の波形との情報は必ずしも分離される必要はなく、例えば送信信号と受信信号とを重畳してなる信号により表されてもよい。また、測定部１１０は、電波センサ２０から上述の反射波に係る受信信号の波形の情報を受信してその情報に基づき、受信電界強度に相当する反射波の強度（受信電波強度と称する）を特定して制御部１３０に伝達する機能を有する。受信電波強度は、例えば、反射波に係る受信信号の波形から得られる受信信号強度（ＲＳＳＩ：Received Signal Strength Indicator）で表される。
【００１９】
判定部１２０は、例えば制御プログラムを実行するプロセッサ１０４等により実現され、測定部１１０により取得された人体の動きの測定結果に基づいて、見守り対象者の状態を判定する機能を有する。見守り対象者の体動、呼吸、心拍等といった人体の動きは、測定結果が表す、電波センサ２０から発信された電波に係る送信信号の波形と反射波に係る受信信号の波形とから特定できる。ドップラーの原理に基づく周知技術により、送信信号の波形と受信信号の波形との差分から、送信信号に係る電波を反射した対象物（見守り対象者）の動く速度に比例した周波数が得られる。見守り対象者の動く速度をｖとし、送信信号（送信波）の周波数をｆｓとし、受信信号（反射波）の周波数をｆｒとし、定数である光速をｃとすると、式１の関係が成立する。得られる周波数（ドップラー周波数）がｆｄである。
【００２０】
ｆｄ＝ｆｓ−ｆｒ＝２×ｆｓ×ｖ／ｃ・・・（式１）
【００２１】
例えば、見守り対象者に体動が生じていれば、得られる周波数が１５０Ｈｚ程度となり、体動が生じてなく呼吸の動きであれば、得られる周波数が２〜０．１Ｈｚ程度となり、体動の有無を区別できる。判定部１２０は、測定部１１０から測定結果を逐次取得し、体動を区別し得る測定結果を一定時間分参照することで、見守り対象者が就床状態であるか否（離床状態である）か、及び、就床状態の場合に体動があるか否か等を判定する。就床状態は、例えば、ベッド３０上或いはベッド３０の周りに見守り対象者が所在する状態を表す。判定部１２０は、例えば１ｍｓ毎に測定結果を取得し、例えば１００ｍｓ分の測定結果から就床状態であるか否かを判定し、例えば４ｓ分の測定結果から体動の有無を判定する。判定部１２０が、就床状態か否か及び体動の有無の他にも、測定結果に基づいて見守り対象者の状態について各種判定を行うこととしてもよい。
【００２２】
制御部１３０は、例えば通信Ｉ／Ｆ１０１、制御プログラムを実行するプロセッサ１０４等により実現される。制御部１３０は、判定部１２０で判定された見守り対象者の状態と測定部１１０から伝達された受信電波強度とに基づいて一定条件下で電波センサ２０による電波の発信を停止させる制御を行う機能を有する。具体的には、制御部１３０は、見守り対象者の状態が就床状態である場合において受信電波強度が第１閾値より大きい又は第２閾値（第１閾値未満の第２閾値）より小さいときに電波センサ２０による電波の発信を停止させる制御を行う。見守り対象者が就床状態である場合に、電波センサ２０から発信した電波が見守り対象者から反射する反射波に係る受信電波強度が、第２閾値以上かつ第１閾値以下の範囲において正常に人体の動きが測定できるように、第１閾値及び第２閾値は予め定められる。例えば、人体がベッド３０上で静止しており、ベッド３０の下部等の適切な設置位置に電波センサ２０が設置されている状態において受信電波強度は第１閾値以下となるように第１閾値は定められる。また、例えば、見守り対象者等が電波センサ２０をベッド３０の下部等から取り出して電波センサ２０の電波を放射する部分に人体の一部を極めて接近（例えば数ｍｍ未満の距離に接近）させた場合に、受信電波強度が第１閾値より大きくなるように第１閾値が定められる。また、例えば、見守り対象者等が電波センサ２０をベッド３０の下部等から取り出して電波センサ２０における電波を放射する部分に眼球を接近させた場合に、電波が眼球に吸収されて受信電波強度が第２閾値より小さくなるように第２閾値が定められる。制御部１３０は、第２閾値と受信電波強度とを比較する場合においては一定の単位時間（例えば１ｓ）における受信電波強度の平均値或いは最大値等と第２閾値とを比較してもよい。即ち、制御部１３０は、一定の単位時間における受信電波強度の平均値或いは最大値等が第２閾値より小さいときに電波センサ２０による電波の発信を停止させる制御を行うこととしてもよい。なお、制御部１３０が電波センサ２０による電波の発信を停止させる制御を行わないときにおいては、電波センサ２０は、見守り対象者の人体の動きの測定のために電波を発信している。また、電波センサ２０は、情報処理装置１００から与えられる送信信号を受けてその送信信号により電波を発信するようにしてもよいし、情報処理装置１００から送信信号を受けることなく電波を発信してもよい。制御部１３０による電波センサ２０による電波の発信を停止させる制御の実現に関わる情報処理装置１００と電波センサ２０との機能分担はいかなるものであってもよい。例えば、制御部１３０が電波センサ２０による電波の発信を停止させる制御として、電波センサ２０に電波の発信を停止させる指示を送信し、電波センサ２０がこの指示に従って発信を停止してもよい。また例えば、情報処理装置１００が電波センサ２０に送信信号を与えて電波センサ２０がその送信信号に従って電波の発信を行っている場合において制御部１３０がその送信信号の電波センサ２０への伝達を抑止するようにしてもよい。制御部１３０は、電波センサ２０による電波の発信を停止させた際に表示部１４０にエラーメッセージを表示させる。
【００２３】
表示部１４０は、ユーザＩ／Ｆ１０３、制御プログラムを実行するプロセッサ１０４等により実現される。表示部１４０は、判定部１２０により判定された見守り対象者の状態をディスプレイに表示する機能を有し、制御部１３０が電波センサ２０による電波の発信を停止させた際にエラーメッセージを表示する機能を有する。なお、表示部１４０は、人体の動きの測定結果に応じた各種情報、或いは、情報処理装置１００、電波センサ２０等の動作状態等を表示してもよい。
【００２４】
（動作）
以下、上述の構成を備える見守りシステム１０における情報処理装置１００等の動作について説明する。
【００２５】
情報処理装置１００は、例えば、ユーザＩ／Ｆ１０３により作動の操作を受け付けて、電波センサ２０を用いて見守り対象者の状態の判定等のための制御処理を開始する。
【００２６】
図３は、情報処理装置１００における制御処理の一例を示すフローチャートである。以下、同図に即して情報処理装置１００により実行される制御処理を説明する。
【００２７】
情報処理装置１００は、測定部１１０により電波センサ２０から情報を受信して、人体の動きの測定結果の取得を行う（ステップＳ１１）。人体の動きの測定結果の取得は、電波センサ２０から受信した情報に基づいて測定結果を生成すること或いはその受信した情報を測定結果として扱うことにより実現される。なお、情報処理装置１００の作動後、制御部１３０が電波センサ２０の電波の発信の停止の制御を行うまでは、情報処理装置１００は、電波センサ２０による電波の発信を停止させていない。
【００２８】
続いて、情報処理装置１００は、判定部１２０により、測定部１１０により取得された測定結果に基づいて見守り対象者の状態を判定し（ステップＳ１２）、その判定結果に応じた情報を表示部１４０により表示する（ステップＳ１３）。
【００２９】
また、情報処理装置１００は、判定部１２０の判定結果が、見守り対象者が就床状態であることを示す場合には（ステップＳ１４）、制御部１３０により、電波センサ２０に電波の発信を停止させるための所定条件が満たされたか否かを判別する（ステップＳ１５、Ｓ１６）。所定条件は、受信電波強度が第１閾値より大きい或いは第２閾値より小さいときに満たされる。即ち、見守り対象者が就床状態である場合に、制御部１３０は、測定部１１０から伝達された受信電波強度と第１閾値とを比較し、受信電波強度が第１閾値より大きいときには（ステップＳ１５）、電波センサ２０に電波の発信を停止させるよう制御する（ステップＳ１７）。ステップＳ１５で受信電波強度が第１閾値より大きくないと判別したときに制御部１３０は、受信電波強度と第２閾値とを比較する。この比較は、例えば、単位時間（例えば１ｓ）における受信電波強度の平均値或いは最大値等と第２閾値とを比較してもよい。この比較の結果として、受信電波強度（単位時間における平均値、最大値等としての受信電波強度でもよい。）が第２閾値より小さいときには（ステップＳ１６）、電波センサ２０に電波の発信を停止させるよう制御する（ステップＳ１７）。ステップＳ１６で制御部１３０が、受信電波強度が第２閾値より小さくないと判別したとき、或いは、ステップＳ１４で判定部１２０による判定結果が、対象者が就床状態でない（離床状態である）ことを示すときには、情報処理装置１００は、ステップＳ１１に戻って、測定結果の取得、見守り対象者の状態の判定、表示等を繰り返す。
【００３０】
制御部１３０は、ステップＳ１７で電波センサ２０に電波の発信を停止させるよう制御した際に、エラーメッセージを表示部１４０に表示させる等のエラー出力（異常を表す出力）を行い（ステップＳ１８）、これにより制御処理は終了する。
【００３１】
図４は、上述の情報処理装置１００の判定部１２０による見守り対象者の状態の判定（ステップＳ１２）の一例としての状態判定処理を示すフローチャートである。以下、同図に即して状態判定処理を説明する。
【００３２】
判定部１２０は、測定部１１０による測定結果（つまり電波センサ２０が発信した電波の波形と受信した反射波の波形とを反映した情報）に基づき、人体の動く速度に関連する周波数（例えばドップラー周波数）及び振幅（例えばドップラー周波数の波形の振幅）を特定する（ステップＳ２１）。
【００３３】
判定部１２０は、ステップＳ２１で特定した周波数が体動の閾値（例えば２Ｈｚ）より高いか否かを判別する（ステップＳ２２）。特定した周波数が体動の閾値より高い場合には、見守り対象者の人体に体動があると判別される。そして、特定した周波数が体動の閾値より高い場合（体動がある場合）に、判定部１２０は、見守り対象者が、就床状態であると判定する（ステップＳ２３）。
【００３４】
判定部１２０は、ステップＳ２１で特定した周波数が体動の閾値より高くない場合には、ステップＳ２１で特定した振幅が略ゼロであるか否かを判別する（ステップＳ２４）。ステップＳ２１で特定した振幅がゼロ（振幅なし）或いはゼロに極めて近い場合に、略ゼロと扱い、この場合には、電波センサ２０が発信した電波の波形と受信した反射波の波形とから人体の動きが検知できない状態であることになる。ステップＳ２４で振幅が略ゼロであると判別したときに、判定部１２０は、見守り対象者がベッド３０上或いはベッド３０の周りに所在しない非就床状態（離床状態）であると判定する（ステップＳ２５）。また、ステップＳ２４で振幅が略ゼロでないと判別したときに、判定部１２０は、見守り対象者がベッド３０上或いはベッド３０の周りに所在する就床状態であり、かつ、体動がないと判定する（ステップＳ２６）。なお、ここで示した見守り対象者の状態の判定の手順は一例にすぎず、例えば、就床状態でありかつ体動がない状態が一定時間継続することをもって睡眠状態であると判定する等の変形を行い得る。
【００３５】
この状態判定処理の結果として就床状態と判定された場合において、受信電波強度に係る上述の所定条件が満たされたときには、上述した制御処理により、情報処理装置１００は電波センサ２０による電波の発信を停止させる制御を行う。
【００３６】
以下、電波センサ２０の受信する電波（反射波）の強度（受信電波強度）の変化について説明する。
【００３７】
図５は、電波センサ２０の受信する電波の強度（受信電波強度）の変化の例を示す図である。また、図５は、受信電波強度の変化と電波センサ２０の電波の発信の停止に係る条件となる第１閾値及び第２閾値との関係を表している。この例では、見守り対象者が離床状態であったときの状態８１以後の受信電波強度の変化を示している。測定部１１０で測定される電波受信強度は、図５において時間軸に沿って状態８１から状態８２へ、状態８２から状態８３へ、その後状態８４と変化する。状態８１、状態８２及び状態８３は正常な状態であり、見守り対象者が離床状態から就床状態へ変化して静止状態（睡眠状態等）に入った場合において通常は状態８１から状態８２を経て状態８３に遷移する。一方、状態８４は通常は生じにくい特殊な状態であり、例えば、見守り対象者等が電波センサ２０をベッド３０の下部等から取り出して電波センサ２０における電波を放射する部分に人体の一部を極めて接近させた場合において生じ得ると想定される状態である。
【００３８】
図５の時間軸において最初の状態８１は、見守り対象者がベッド３０から離れた離床状態であるときの受信電波強度の状態であり、略ゼロである。その後、見守り対象者がベッド３０に就いた就床状態になると、見守り対象者に体動が生じているため、受信電波強度が、比較的高い周波数（短い周期）で多様に変動した状態８２となる。その後、見守り対象者の体動がなくなった場合（例えばベッド３０上で静止状態に入った場合）には、呼吸等の人体の振動の影響で受信電波強度が、比較的低い周波数（長い周期）で一定の変動を繰り返す状態８３となる。例えば、このような状態８２及び状態８３の期間においてベッド３０の下部等から電波センサ２０を取り外さないときには、受信電波強度が第１閾値以下となるように、第１閾値が定められることが有用である。また、このような状態８２及び状態８３において通常、受信電波強度の単位時間あたりの平均値或いは最大値は第２閾値以上であるように、第２閾値が定められることが有用である。状態８３の後において、また見守り対象者の状態は、体動を生じてもよいし生じなくてもよいが、ある時点で上述の特殊な状態８４となり、受信電波強度が第１閾値より大きくなる可能性が想定される。この状態８４が生じた場合に、上述したように情報処理装置１００の制御部１３０による電波センサ２０の電波の発信を停止させる制御（ステップＳ１７）によって、状態８４が長時間継続することが防止される。
【００３９】
以上説明したように、見守りシステム１０では、見守り対象者が就床状態である場合において受信電波強度が第１閾値より大きい或いは第２閾値より小さい状態が長時間継続することが抑制される。このため、電波センサ２０が発信する電波による弊害の発生が防止され得る。
【００４０】
（実施の形態２）
以下、実施の形態１で示した見守りシステム１０の一部を変形した態様の見守りシステム１０について説明する。本実施の形態における見守りシステム１０は、実施の形態１で示した見守りシステム１０の情報処理装置１００が実行する制御処理の内容を変形したものである。その他の点では、本実施の形態に係る見守りシステム１０の各構成要素は、実施の形態１と同様であるため、実施の形態１と同じ符号を用いて説明する。
【００４１】
本実施の形態に係る情報処理装置１００は、見守り対象者が離床状態から就床状態へ変化した直後の体動が収まるまでの状態（就床直後状態と称する）においては電波センサ２０に電波の発信を停止させる制御を抑止する機能を有する。
【００４２】
情報処理装置１００は、例えば、ユーザＩ／Ｆ１０３により作動の操作を受け付けて、電波センサ２０を用いて見守り対象者の状態の判定等のための制御処理を開始する。
【００４３】
図６は、本実施の形態に係る情報処理装置１００における制御処理の一例を示すフローチャートである。以下、同図に即して情報処理装置１００により実行される制御処理を説明する。なお、図６に示す処理手順（ステップ）のうち、実施の形態１において図３で示したものと同じステップについては同じ符号を付しており、ここでは、説明を適宜省略する。
【００４４】
情報処理装置１００は、測定部１１０により電波センサ２０から情報を受信して、人体の動きの測定結果の取得を行う（ステップＳ１１）。
【００４５】
続いて、情報処理装置１００は、判定部１２０により、測定部１１０により取得された測定結果に基づいて見守り対象者の状態を判定し（ステップＳ１２）、その判定結果に応じた情報を表示部１４０により表示する（ステップＳ１３）。なお、判定部１２０は、例えば上述の状態判定処理（図４参照）等により判定した結果が、非就床状態（離床状態）から就床状態と変化した後において、初めて体動がないと判定するまでは、就床直後状態であると判定する。また、見守り対象者の状態が非就床状態（離床状態）から就床状態と変化した後において、初めて体動がないと判定した後は、就床直後状態でないと判定する。これにより、見守り対象者の状態が非就床状態から就床状態に変化した後に未だ体動が収まっていない期間において見守り対象者が就床直後状態であると判定される。この結果として、図５の例における状態８２の期間では、判定部１２０により、例えば就床状態であり、かつ、就床直後状態であると判定され、状態８３の期間では、就床状態であり、かつ、就床直後状態でないと判定され得る。
【００４６】
また、情報処理装置１００は、判定部１２０による判定結果が、見守り対象者が就床状態であることを示す場合において（ステップＳ１４）、判定結果が就床直後状態でないことを示すときには（ステップＳ１４ａ）、制御部１３０により、電波センサ２０による電波の発信を停止させるための所定条件が満たされたか否かを判別する（ステップＳ１５、Ｓ１６）。所定条件は、実施の形態１と同様に、受信電波強度が第１閾値より大きい或いは第２閾値より小さいときに満たされる。ステップＳ１５において制御部１３０は、測定部１１０により伝達された受信電波強度と第１閾値とを比較し、受信電波強度が第１閾値より大きいときには、電波センサ２０に電波の発信を停止させるよう制御する（ステップＳ１７）。また、ステップＳ１５で受信電波強度が第１閾値より大きくないと判別したときに制御部１３０は、受信電波強度と第２閾値とを比較する。この比較は、例えば、単位時間（例えば１ｓ）における受信電波強度の平均値或いは最大値等と第２閾値とを比較してもよい。この比較の結果として、受信電波強度（単位時間における平均値、最大値等としての受信電波強度でもよい。）が第２閾値より小さいときには（ステップＳ１６）、制御部１３０は、電波センサ２０に電波の発信を停止させるよう制御する（ステップＳ１７）。ステップＳ１６で受信電波強度が第２閾値より小さくないと判別したとき、ステップＳ１４で判定結果が、対象者が就床状態でない（離床状態である）ことを示すとき、或いは、ステップＳ１４ａで判定結果が就床直後状態であることを示すときには、情報処理装置１００は、ステップＳ１１に戻って、測定結果の取得、見守り対象者の状態の判定、表示等を繰り返す。
【００４７】
制御部１３０は、ステップＳ１７で電波センサ２０に電波の発信を停止させるよう制御した際に、エラーメッセージを表示部１４０に表示させる等のエラー出力を行う（ステップＳ１８）。
【００４８】
このように、情報処理装置１００は、ステップＳ１４ａで就床直後状態である場合に、制御部１３０が電波の発信を停止させる制御（ステップＳ１７）を抑止する。これにより、見守り対象者が就床する際に、見守り対象者等が短期的に電波センサ２０における電波を放射する部分に極めて接近したような場合を除外して、電波センサ２０の電波の発信の停止に係る制御を行うことができる。この除外する場合は、例えば図５の状態８２に係る受信電波強度が第１閾値を超えるような場合である。例えば、就床の際に、ベッド３０上に弾みをつけて腰を下ろす動作等により、マットレス等が人体で押し潰されて電波センサ２０における電波を放射する部分に人体が瞬間的に極めて接近するような場合を除外して、電波の発信の停止に係る制御を行うことができる。
【００４９】
本実施の形態に係る見守りシステム１０においては、見守り対象者が就床状態であって就床直後状態でない場合において受信電波強度が第１閾値より大きい或いは第２閾値より小さい状態が長時間継続することが抑制される。このため、電波センサ２０が発信する電波による弊害の発生が防止され得る。
【００５０】
（他の実施の形態等）
以上、実施の形態１、２により情報処理装置１００を含む見守りシステム１０等について説明したが、上述した実施の形態は一例にすぎず、各種の変更、付加、省略等が可能であることは言う迄もない。
【００５１】
上述の実施の形態では、情報処理装置１００は、判定部１２０による見守り対象者の状態についての判定結果或いはエラーメッセージを表示部１４０による表示することとした。表示部１４０は、情報処理装置１００において、見守り対象者の人体の動きに係る測定結果、或いは、その測定結果に基づく判定結果（例えば就床状態か否か、体動の有無等）等を表示し得る。情報処理装置１００は、その測定結果或いは判定結果を表示の他にも活用し得る。情報処理装置１００は、例えば、エラーメッセージを表示するような場合、或いは、見守り対象者が一定の状態であると判定された場合に、報知（発光、ブザーの鳴動、音声再生等）を行ってもよく、或いは、他装置に対して報知のための情報を送信してもよい。
【００５２】
また、上述の実施の形態では、情報処理装置１００は、一定条件下で制御部１３０が電波センサ２０による電波の発信を停止させる制御を行うこととした。しかし、情報処理装置１００は、一定条件下で電波センサ２０が発信する電波の強度を元の強度より弱める制御を行えばよい。即ち、情報処理装置１００は、一定条件下で、電波センサ２０が発信する電波を停止する制御（つまりゼロに弱める制御）の代わりに、ゼロ以外の強度（例えば元の強度の半分以下の極めて小さい強度等）に弱める制御を行ってもよい。例えば、電波センサ２０が発信する電波の元の強度は、人体の動き（体動或いは呼吸等の微振動等）の測定が可能な程度の強度であるのに対して、ゼロ以外の強度に弱める制御を行った後の強度は、人体の動きの測定ができない程度の強度である。
【００５３】
また、実施の形態２で示した就床直後状態の判定方法として、見守り対象者が離床状態から就床状態と変化した後からの経過時間が一定時間（例えば１分等）より短いことを条件に加えて就床直後状態を判定してもよい。また、体動が収まるか否かに拘わらず見守り対象者が離床状態から就床状態と変化した後からの経過時間が一定時間（例えば１分等）より短いことを条件として就床直後状態を判定してもよい。
【００５４】
また、上述の実施の形態では、見守り対象者が就床状態であると判定された場合に電波センサ２０が受信した電波の強度（受信電波強度）が、第１閾値より大きい又は第２閾値より小さいという所定条件を満たせば電波センサ２０が発信する電波を停止する制御を実行する例を示した。しかし、所定条件は、受信電波強度が第１閾値より大きいことのみであってもよいし、また、所定条件は、受信電波強度が第２閾値より小さいことのみであってもよい。
【００５５】
また、上述の実施の形態では、電波センサ２０が電波の発信のために用いた送信信号の波形と反射波を受信して得た受信信号の波形との情報を、人体の動きの測定結果として取得する例を示した。しかし、測定部１１０がその電波センサ２０により発信された電波に基づいて人体の動きを特定可能な情報を取得するものであれば、その情報は必ずしも送信信号の波形と受信信号の波形との情報でなくてもよい。例えば、測定部１１０は、電波センサ２０が受信信号等に基づいて人体の動きを識別した結果を電波センサ２０から取得してもよい。
【００５６】
また、上述の実施の形態で、情報処理装置１００が、見守り対象者が就床状態であるか否かを判別したが、その判別には、上述した方法以外の方法を用いてもよい。例えば、センサから見守り対象者の人体までの距離を測定し、その距離と予め定めた閾値とを比較することで見守り対象者が就床状態か否かを判別してもよい。例えば、電波センサ２０により見守り対象者の人体までの距離を測定してもよい。距離測定には、ＦＭ−ＣＷ（Frequency Modulated - Continuous Wave）方式等、各種の周知技術を利用可能である。また、見守り対象者が就床状態であるか否か（ベッド３０上或いはベッド３０の周りに所在するか否か）の判別のために、赤外線で周囲の温度変化を検知する焦電型赤外線センサ等の人感センサを用いてもよい。
【００５７】
また、上述の実施の形態では、見守りシステム１０が状態を判定する見守り対象者は、ベッド３０を利用する被介護者、患者等であることとした。しかし、ベッド３０は、見守り対象者が睡眠、療養、休息等に用いる物（例えば寝床）の一例に過ぎず、その寝床は、電波センサ２０を設置したマット、布団等であってもよい。
【００５８】
また、上述の情報処理装置１００における処理手順（図３、図４及び図６に示す手順等）の実行順序は、必ずしも、上述した通りの順序に制限されるものではなく、発明の要旨を逸脱しない範囲で、実行順序を入れ替えたりその一部を省略したりすることができる。また、その処理手順（図３、図４及び図６に示す手順等）の全部又は一部は、ハードウェアにより実現されても、ソフトウェアを用いて実現されてもよい。なお、ソフトウェアによる処理は、情報処理装置１００に含まれるプロセッサがメモリに記憶された制御プログラムを実行することにより実現されるものである。また、その制御プログラムを記録媒体に記録して頒布や流通させてもよい。例えば、頒布された制御プログラムを情報処理装置（コンピュータ）にインストールして、プロセッサに実行させることで、情報処理装置に図３、図４或いは図６に示した処理手順の全部又は一部を行わせることが可能となる。
【００５９】
また、上述した情報処理装置１００における各機能構成要素間の機能分担は、一例に過ぎず、その分担を変更し得る。
【００６０】
また、上述した実施の形態及び変形例で示した構成要素及び機能を任意に組み合わせることで実現される形態も本発明の範囲に含まれる。
【００６１】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００６２】
以下、本発明の一態様に係る見守りシステム及び制御プログラムについての構成、変形態様、効果等について示す。
【００６３】
（１）本発明の一態様に係る見守りシステムは、見守り対象者の状態を判定する見守りシステム１０であって、電波を発信して反射された電波を受信する電波センサ２０により対象者（見守り対象者）の人体の動きを測定する測定部１１０と、測定部１１０による測定結果に基づいて対象者の状態を判定する判定部１２０と、判定部１２０により対象者が就床状態であると判定されている場合において、電波センサ２０が受信した電波の強度（受信電波強度）が所定条件を満たしたときには、電波センサ２０が発信する電波の強度を弱める制御部１３０とを備える。前記所定条件は、例えば受信電波強度と閾値との比較に係る条件である。就床状態は、例えば、寝床（ベッド３０等）上或いは寝床の周りに見守り対象者が所在する状態を表す。見守りシステム１０は、電波センサ２０を含んでもよいし、電波センサ２０を含まずにその外部の電波センサ２０を制御するものであってもよい。電波センサ２０が発信する電波の強度を弱めることは、電波の強度をゼロまで弱めること（即ち電波の発信を停止させること）を含む。
【００６４】
これにより、見守り対象者の人体の動きを測定するために電波センサ２０が発信する電波による悪影響が抑制され得る。
【００６５】
（２）例えば、前記所定条件は、電波センサ２０が受信した電波の強度の値が第１閾値より大きいと満たされ、制御部１３０は、判定部１２０により対象者が就床状態であると判定されている場合に電波センサ２０が受信した電波の強度が、前記所定条件を満たした際に、電波センサ２０が発信する電波の強度を弱めることとしてもよい。
【００６６】
これにより、例えば見守り対象者と電波センサ２０の電波を放射する部分との相対距離が極めて近い状態等において発信する電波の強度が弱められ得る。このため、例えば電波センサ２０が人体に至近距離から強い電波を放射する状態が長時間継続すること等が未然に防止され得る。
【００６７】
（３）例えば、前記所定条件は、更に、電波センサ２０が受信した電波の強度の値が、第１閾値未満の第２閾値より小さいと満たされることとしてもよい。
【００６８】
これにより、例えば見守り対象者の眼球等といった電波を吸収する部分と電波センサ２０の電波を放射する部分との相対距離が極めて近い状態等により電波の吸収の影響で受信電波強度が小さいときに、電波センサ２０により発信される電波の強度が弱められ得る。このため、例えば電波センサ２０の電波を吸収する人体の部位に対して電波センサ２０が強い電波を放射する状態が長時間継続すること等が未然に防止され得る。
【００６９】
（４）例えば、判定部１２０は、対象者の状態が、非就床状態から就床状態に変化した後に未だ体動が収まっていない就床直後状態であることを判定し、制御部１３０は、判定部１２０により対象者が就床直後状態であると判定されている場合においては、電波センサ２０が発信する電波の強度を弱めることを、抑止することとしてもよい。
【００７０】
これにより、就床直後の見守り対象者の体動がある期間において、例えば、見守り対象者の一時的な大きな動き等による誤検出で測定ができなくなることを防止し得る。
【００７１】
（５）例えば、測定部１１０による人体の動きの測定結果は、電波センサ２０が発信する電波の波形と受信した反射波の波形とを反映した情報であることとしてもよい。
【００７２】
これにより、見守りシステム１０において測定結果からドップラーの原理に基づいて適切に見守り対象者の人体の動きを区別でき、見守り対象者の状態を適切に判別し得る。
【００７３】
（６）例えば、制御部１３０は、判定部１２０により対象者が就床状態であると判定されている場合に電波センサ２０が受信した電波の強度が、前記所定条件を満たした際に、異常を表す出力を行うこととしてもよい。この出力は、例えば、ディスプレイ等へのエラーメッセージの表示、異常を表す音声の再生、ブザーの鳴動、或いは、異常を表す情報の他装置（例えば携帯情報端末等）への送信等である。
【００７４】
これにより、見守り対象者、その対象者に関わる介護者、医師その他の者が異常の発生を認識し得る。
【００７５】
（７）本発明の一態様に係る制御プログラムは、見守り対象者の状態を判定する見守りシステム１０におけるコンピュータ（情報処理装置１００）に所定制御処理を実行させるための制御プログラムであって、所定制御処理は、電波を発信して反射された電波を受信する電波センサ２０により対象者（見守り対象者）の人体の動きを測定する測定ステップ（例えばステップＳ１１）と、前記測定ステップによる測定結果に基づいて対象者の状態を判定する判定ステップ（例えばステップＳ１２、Ｓ２１〜Ｓ２６）と、前記判定ステップにより対象者が就床状態であると判定されている場合において、電波センサ２０が受信した電波の強度が所定条件を満たしたときには、電波センサ２０が発信する電波の強度を弱める制御ステップとを含む。
【００７６】
この制御プログラムを情報処理装置１００（コンピュータ）にインストールして、プロセッサに実行させることにより、見守り対象者の人体の動きを測定するために電波センサ２０が発信する電波による悪影響が抑制され得る。
【符号の説明】
【００７７】
１０  見守りシステム
２０  電波センサ
１００  情報処理装置
１１０  測定部
１２０  判定部
１３０  制御部
【図１】
2017134792.tif 000003
【図２】
2017134792.tif 000004
【図３】
2017134792.tif 000005
【図４】
2017134792.tif 000006
【図５】
2017134792.tif 000007
【図６】
2017134792.tif 000008